(57)【要約】【課題】制御基板に対する不正行為をより確実に防止可能な基板ケースユニットを提供する。【解決手段】基板ケースユニットは、ボトム側ロック部１２３には有底状に凹んだロック孔１２５が形成され、トップ側ロック部１３３には、閉止状態においてロック孔１２５に挿入されるロック突起１３７が形成され、ロック孔１２５にロック突起１３７を挿入した状態で、ロック孔１２５に充填された硬化性流体を硬化させることにより、ボトム側ロック部１２３とトップ側ロック部１３３とを硬化性流体を介して固定して、ボトムケースとトップケースとを閉止状態で連結する。【選択図】図７
2014136020.tif 000002
【特許請求の範囲】
【請求項１】
互いに開閉可能に装着される第１ケース部材及び第２ケース部材を備え、前記第１ケース部材と前記第２ケース部材とを組み合わせた閉止状態において形成されるケース内部に制御基板を収容する基板ケースユニットであって、
前記第１ケース部材に設けられた第１ロック部と、
前記第２ケース部材に設けられて前記閉止状態において前記第１ロック部と近接対向する第２ロック部とを備え、
前記第１ロック部には、前記対向方向に有底状に凹んだロック孔が形成され、
前記第２ロック部には、前記対向方向に突出して前記閉止状態において前記ロック孔に挿入されるロック突起が形成され、
前記ロック孔に前記ロック突起を挿入した状態で、前記ロック孔に充填された硬化性流体を硬化させることにより、前記第１ロック部と前記第２ロック部とを前記硬化性流体を介して固定して、前記第１ケースと前記第２ケースとを前記閉止状態で連結するように構成したことを特徴とする基板ケースユニット。
【請求項２】
前記ロック突起には、前記ロック突起の前記挿入方向と直交する方向に貫通する連通孔が形成されており、
前記ロック孔に前記ロック突起を挿入した状態で、前記ロック孔に硬化性流体を充填する際に、前記硬化性流体が前記連通孔を通じて前記ロック孔内で流動することを特徴とする請求項１に記載の基板ケースユニット。
【請求項３】
前記第１ケースと前記第２ケースとを所定のスライド方向に相対移動させて、前記第１ケースと前記第２ケースとを前記閉止状態に組み付けるように構成し、
前記第１ロック部及び前記第２ロック部の少なくとも一方に、前記スライド方向と直交する方向に延びるとともに前記ロック孔に連通する規制溝を形成したことを特徴とする請求項１又は２に記載の基板ケースユニット。
【請求項４】
前記第１ケースと前記第２ケースとを所定のスライド方向に相対移動させて、前記第１ケースと前記第２ケースとを前記閉止状態に組み付けるように構成し、
前記第１ロック部と前記第２ロック部とは前記第１ケースと前記第２ケースとを前記スライド方向に相対移動させたときに互いに係合可能に形成されていることを特徴とする請求項１〜３のいずれかに記載の基板ケースユニット。
【発明の詳細な説明】
【技術分野】
【０００１】
本発明は、遊技機の制御に用いる制御基板を収容する基板ケースユニットに関する。
【背景技術】
【０００２】
ぱちんこ遊技機等の遊技機には、該遊技機に搭載された電子部品の作動を制御する制御基板が設けられている。例えば、主制御基板ないしメイン制御基板と称される制御基板には、遊技機の制御ソフトウェアが書き込まれたＲＯＭが搭載され、遊技機の作動を統括的に制御する中枢制御装置としての役割を有している。そのため、遊技機の制御基板は、偽造ＲＯＭへの差し替えや不正回路の付加などの行為対象になりやすい。
【０００３】
このような不正行為を防止して公正な遊技に供するため、制御基板は、ともに透明な樹脂材料を用いて形成されたケース本体とその前方に開閉可能に装着されるケース蓋とからなる基板ケース内に収容されている。また、基板ケースには、ケース本体に対してケース蓋を閉止状態で装着したときに、ケース本体の側に形成した係合部とケース蓋の側に形成した係合部とが係合連結することで基板ケースを閉止状態でロックし、ケース蓋（もしくはケース本体）とその係合部との間を繋ぐ連結部をニッパ等の工具を用いて切り離さない限り基板ケースを開放不能にする不正開放防止構造が設けられている（例えば、特許文献１を参照）。
【先行技術文献】
【特許文献】
【０００４】
【特許文献１】特開２００４−６５２８０号公報
【発明の概要】
【発明が解決しようとする課題】
【０００５】
しかしながら、制御基板に対する不正行為は巧妙化しており、このような不正行為をより確実に防止する対策が求められている。
【０００６】
本発明は、このような課題に鑑みてなされたものであり、制御基板に対する不正行為をより確実に防止可能な基板ケースユニットを提供することを目的とする。
【課題を解決するための手段】
【０００７】
このような目的達成のために、本発明に係る基板ケースユニットは、互いに開閉可能に装着される第１ケース部材（例えば、実施形態におけるボトムケース１２０）及び第２ケース部材（例えば、実施形態におけるトップケース１３０）を備え、第１ケース部材と第２ケース部材とを組み合わせた閉止状態において形成されるケース内部に制御基板（例えば、実施形態における主制御基板４１）を収容する基板ケースユニットであって、第１ケース部材に設けられた第１ロック部（例えば、実施形態におけるボトム側ロック部１２３）と、第２ケース部材に設けられて閉止状態において第１ロック部と近接対向する第２ロック部（例えば、実施形態におけるトップ側ロック部１３３）とを備え、第１ロック部には、上記対向方向に有底状に凹んだロック孔が形成され、第２ロック部には、上記対向方向に突出して閉止状態においてロック孔に挿入されるロック突起が形成され、ロック孔にロック突起を挿入した状態で、ロック孔に充填された硬化性流体を硬化させることにより、第１ロック部と第２ロック部とを硬化性流体を介して固定して、第１ケースと第２ケースとを閉止状態で連結するように構成する。
【発明の効果】
【０００８】
本発明によれば、制御基板に対する不正行為をより確実に防止することが可能である。
【図面の簡単な説明】
【０００９】
【図１】本実施形態に係る主制御基板ケースユニットを備えたぱちんこ遊技機の斜視図である。
【図２】ぱちんこ遊技機の背面図である。
【図３】第１実施形態に係る主制御基板ケースユニットの分解斜視図である。
【図４】第１実施形態に係る主制御基板ケースユニットにおけるボトムケースとトップケースの斜視図である。
【図５】第１実施形態に係る主制御基板ケースユニットに備えられた不正開放防止構造を示す斜視図である。
【図６】第１実施形態に係る不正開放防止構造の平面図である。
【図７】図６における矢印VII−VIIに沿って示す断面図である。
【図８】図６における矢印VII−VIIに沿って示す断面図である。
【図９】（ａ）はボトム側ロック部の斜視図、（ｂ）はボトム側ロック部の平面図である。
【図１０】図９における矢印X−Xに沿って示す断面図である。
【図１１】図９における矢印XI−XIに沿って示す断面図である。
【図１２】（ａ）はトップ側ロック部の斜視図、（ｂ）はトップ側ロック部の平面図である。
【図１３】図１２における矢印XIII−XIIIに沿って示す断面図である。
【図１４】第１実施形態において、ボトム側ロック部に対してケース側ロック部を左右方向にずらして対向させた状態を示す断面図である。
【図１５】第１実施形態において、ボトム側ロック部に対してケース側ロック部を左右方向にずらして重なり合わせた状態を示す断面図である。
【図１６】第１実施形態において、ボトム側ロック部に対してトップ側ロック部をスライド装着した状態を示す断面図である。
【図１７】第１実施形態において、ボトム側ロック部とトップ側ロック部との間に硬化性流体を充填させた状態を示す断面図である。
【図１８】第２実施形態に係る主制御基板ケースユニットの分解斜視図である。
【図１９】第２実施形態におけるボトムケースを前方から見た斜視図である。
【図２０】第２実施形態におけるトップケースを後方から見た斜視図である。
【図２１】第２実施形態におけるボトムケースとトップケースとを対向させた状態を示す斜視図である。
【図２２】第２実施形態に係る不正開放防止構造の作用を説明するための模式図である。
【発明を実施するための形態】
【００１０】
以下、本発明の好ましい実施形態について図面を参照して説明する。本発明に係る基板ケースユニットを備えた遊技機の代表例として、ぱちんこ遊技機ＰＭの斜視図及び背面図を図１及び図２に示しており、まず、この図を参照してぱちんこ遊技機ＰＭの全体構成について説明する。
【００１１】
［ぱちんこ遊技機の全体構成］
始めに、図１を参照しながら、ぱちんこ遊技機ＰＭの正面側の基本構造を説明する。ぱちんこ遊技機ＰＭは、図１に示すように、外郭方形枠サイズに構成された縦向きの固定保持枠をなす外枠１の開口前面に、これに合わせた方形枠サイズに構成されて開閉搭載枠をなす前枠２が互いの正面左側縁部に配設された上下のヒンジ機構３により横開き開閉および着脱が可能に取り付けられ、正面右側縁部に設けられたダブル錠と称される施錠装置４を利用して常には外枠１と係合連結された閉鎖状態に保持される。
【００１２】
前枠２には、この前枠２の上部前面域に合わせた方形状のガラス枠５が上下のヒンジ機構３を利用して横開き開閉および着脱可能に組み付けられ、施錠装置４を利用して常には前枠２の前面を覆う閉鎖状態に保持される。前枠２には、遊技盤１０が着脱可能にセット保持され、常には閉鎖保持されるガラス枠５の複層ガラス５ａを通して遊技盤１０の正面の遊技領域ＰＡを視認可能に臨ませるようになっている。
【００１３】
ガラス枠５の下部には遊技球を貯留する上下の球皿（上球皿６ａ及び下球皿６ｂ）が設けられ、下球皿６ｂの正面右側には遊技球の発射操作を行う発射ハンドル７が設けられている。ガラス枠５の前面側には、発光ダイオード（ＬＥＤ）やランプ等の電飾装置８や、遊技の展開状態に応じて効果音を発生させるスピーカ９が設けられている。
【００１４】
図１では詳細な図示を省略しているが、遊技盤１０は、ルータ加工等を施した矩形状の積層合板に、所定の図柄が印刷されたセルを貼り付けて成型される化粧板を基板とし、上下のレール飾りに囲まれて略円形状の遊技領域ＰＡが形成される。遊技領域ＰＡには、多数本の遊技釘、風車、中央飾り、遊技の進行状況に応じて所定の画像が表示される演出表示装置、各種入賞口などの遊技構成部品が設けられ、遊技領域ＰＡの下端部には入賞口に落入することなく落下した遊技球を裏面側に排出するためのアウト口が遊技盤１０を前後に貫通して形成されている。
【００１５】
続いて、図２を参照しながら、ぱちんこ遊技機ＰＭの背面側の基本構造を説明する。前枠２の背面側には、中央に前後連通する窓口を有して前枠２よりも幾分小型の矩形枠状に形成された基枠体をベースとしてなる裏セット盤３０が、上下のヒンジ機構３を介して前枠２後方に横開き開閉及び着脱が可能に連結されている。この裏セット盤３０には、前面開放の矩形箱状をなす裏セットカバー３０Ｃが着脱自在に装着されており、常には前枠２に取り付けられた遊技盤１０の裏面側を覆って配設されている（これにより後述する主制御基板ケースユニット１００及び演出制御基板ケースユニット２００が裏セットカバー３０Ｃにより覆われる）。
【００１６】
裏セット盤３０の各部には、多数個の遊技球を貯留する球貯留タンク３１、球貯留タンク３１から右方に緩やかな下り傾斜を有して延びるタンクレール３２、タンクレール３２の右端部に繋がり下方に延びる球供給通路部材３３、球供給通路部材３３により導かれた遊技球を払い出す賞球払出ユニット３４、賞球払出ユニット３４から払い出された遊技球を上球皿６に導くための賞球通路部材３５などが設けられている。
【００１７】
遊技盤１０の背面側には、ぱちんこ遊技機ＰＭの作動を統括的に制御する主制御基板４１（主制御基板ケースユニット１００，２００）や、遊技展開に応じた画像表示、効果照明、効果音等の演出全般の制御を行う演出制御基板４２（演出制御基板ケースユニット３００）などが取り付けられている。これに対して、裏セット盤３０の背面側には、遊技球の発射及び払い出しに関する制御を行う払出制御基板４３（払出制御基板ケースユニット４００）や、遊技施設側から受電して各種制御基板や電気・電子部品に電力を供給する電源基板４４（電源基板ケースユニット５００）などが取り付けられている。これらの制御基板とぱちんこ遊技機ＰＭ各部の電気・電子部品とがハーネス（コネクタケーブル）で接続されて、ぱちんこ遊技機ＰＭが作動可能に構成されている。
【００１８】
ぱちんこ遊技機ＰＭは、外枠１が遊技施設の遊技島（設置枠台）に固定設置され、前枠２、ガラス枠５等が閉鎖施錠された状態で遊技に供され、上球皿６ａに遊技球を貯留させて発射ハンドル７を回動操作することにより遊技が開始される。発射ハンドル７が回動操作されると、上球皿６ａに貯留された遊技球が、ガラス枠５の背面側に配設される球送り機構によって１球ずつ発射機構に送り出され、発射機構により遊技領域ＰＡに打ち出され
て、以降パチンコゲームが展開される。
【００１９】
［主制御基板ケースユニットの構成］
次に、第１実施形態に係る主制御基板ケースユニット１００の構成について図３及び図４を追加参照して説明する。ここで、図３は主制御基板ケースユニット１００の分解斜視図、図４は主制御基板ケースユニット１００におけるボトムケースとトップケースの斜視図、である。なお、以降の説明においては、説明の便宜のため、上下及び左右前後の方向は、図３の状態を基準にして定義しており、図３に示す矢印の方向をそれぞれ前後、左右、上下と称して説明する。
【００２０】
主制御基板ケースユニット１００は、ぱちんこ遊技機ＰＭにおける制御の中枢を担う前述の主制御基板４１と、主制御基板４１を内部に収容する略矩形容器状の基板ケース１１０と、を主体として構成されている。
【００２１】
主制御基板４１は、詳細図示を省略しているが、矩形形状のプリント配線板を基板として種々の半導体デバイスや抵抗、コンデンサ、コネクタ等の電子・電気部品が実装されて構成されている。この主制御基板４１は、基板ケース１１０（後述するトップケース１３０）の内面側にビス止め固定される。
【００２２】
基板ケース１１０は、遊技盤１０の背面に着脱されるボトムケース１２０と、このボトムケース１２０に着脱自在に取り付けられるトップケース１３０とを備えて構成されており、ボトムケース１２０にトップケース１３０を装着した閉止状態で前後整合するケース右端部及び左端部に、詳細後述する封印構造及び不正開放防止構造が設けられている。ボトムケース１２０及びトップケース１３０には、主制御基板４１を収容するための基板収容空間１２０Ｓ，１３０Ｓがそれぞれ形成されており、互いの基板収容空間１２０Ｓ，１３０Ｓ同士を相対向させた閉止状態で結合されて一体化される。ボトムケース１２０及びトップケース１３０は、共に透明な樹脂材料（例えば、ポリカーボネート等）を用いて射出成形等の成形手段により形成され、外部からでも基板ケース１１０内を視認可能に構成されている。
【００２３】
ボトムケース１２０は、前面側に開口を有する矩形箱状に形成されたボトムケース本体１２１と、このボトムケース本体１２１の左端部に一体的に形成されたボトム側封印部１２２と、ボトムケース本体１２１の右端部に一体的に形成されたボトム側ロック部１２３と、を有している。ボトムケース本体１２１の上下の側壁１２１ａには、底部１２１ｂからそれぞれ後方に突出するボトム側スライド係合部１２１ｃが左右方向に並んで複数形成されている。
【００２４】
トップケース１３０は、前面側に開口を有する矩形箱状に形成されたトップケース本体１３１と、このトップケース本体１３１の左端部に一体的に形成されたトップ側封印部１３２と、トップケース本体１３１の右端部に連結部１３１Ｒを介して一体的に繋がるトップ側ロック部１３３と、を有しており、ボトムケース１２０に対して左右方向にスライド装着可能に構成されている。トップケース本体１３１の上下の側壁１３１ａには、この側壁１３１ａが延びる長手方向（左右方向）に沿って前面側に開口してボトムケース１２０のボトム側スライド係合部１２１ｃを受容可能な凹溝状のトップ側溝部１３１ｂが形成されるとともに、このトップ側溝部１３１ｂ内においてボトムケース１２０のボトム側スライド係合部１２１ｃと係合可能なトップ側スライド係合部１３１ｃが形成されている。トップケース１３０には、主制御基板４１のコネクタ（図示省略）の実装位置に対応して表裏貫通するコネクタ挿抜口１３１ｄが形成されており、主制御基板４１がトップケース１３０に取り付けられた状態で、主制御基板４１のコネクタがコネクタ挿抜口１３１ｄを通して外部に露出し、演出制御基板４２や払出制御基板４３等とハーネス（コネクタケーブ
ル）を介して電気接続可能となる。
【００２５】
ボトムケース１２０にトップケース１３０を組み付けるには、図４に示すように、ボトムケース１２０に対してトップケース１３０を左方に若干ずらした状態で前後方向に対向させて、トップケース１３０のトップ側溝部１３１ｄにボトムケース１２０のボトム側スライド係合部１２１ｃを挿入し、トップケース１３０を右方向（以下において「閉止方向」とも称する）にスライド移動させることにより、ボトム側スライド係合部１２１ｃとトップ側スライド係合部１３１ｃとを係合させる。これにより、ボトムケース１２０とトップケース１３０とが互いの基板収容空間１２０Ｓ，１３０Ｓ同士を相対向させた閉止状態で取り付けられる。そして、こうしてボトムケース１２０とトップケース１３０とが結合した閉止状態において、前後に位置整合するボトム側封印部１２２とトップ側封印部１３２とにより封印構造が構成されるとともに、前後に位置整合するボトム側ロック部１２３とトップ側ロック部１３３とにより不正開放防止構造が構成されている。
【００２６】
封印構造は、ボトムケース本体１２１の左端部に一体的に繋がって形成されたボトム側封印部１２２と、トップケース本体１３１の左端部に一体的に繋がって形成されたトップ側封印部１３２と、ボトム側封印部１２２に貼着される封印シール１４０と、封印シール１４０を破壊するカッター部材１４１と、から構成される。
【００２７】
封印シール１４０は、例えば紙製のシート部材の表面に、ＩＣタグ及びこれに繋がるアンテナ線が透明な樹脂フィルムによって覆われて形成されており、ＩＣタグに格納された種々の情報（例えば、ぱちんこ遊技機ＰＭに関する情報、主制御基板４１の識別情報など）がアンテナ線を介して基板ケース１１０の外部からでもリーダ装置によって読み取り可能となっている。
【００２８】
カッター部材１４１は、ボトム側封印部１２２に貼着された封印シール１４０を覆うように装着される。このカッター部材１４１は、ボトム側封印部１２２に装着されて封印シール１４０を外方から包囲して保護する一方、基板ケース１１０の開放時、すなわち、トップケース１３０をボトムケース１２０に対して左方向（以下において「開放方向」とも称する）にスライド移動させるとき、トップ側封印部１３２と協働して当該開放方向に移動することで封印シール１４０を再生不能な程度に破壊するように構成されている。
【００２９】
続いて、不正開放防止構造について、図５〜図１３を追加参照して説明する。ここで、図５は不正開放防止構造を示す斜視図、図６は不正開放防止構造の平面図、図７は図６における矢印VII−VIIに沿って示す断面図、図８は図６における矢印VII−VIIに沿って示す断面図、図９（ａ）はボトム側ロック部の斜視図、図９（ｂ）はボトム側ロック部の平面図、図１０は図９における矢印X−Xに沿って示す断面図、図１１は図９における矢印XI−XIに沿って示す断面図、図１２（ａ）はトップ側ロック部の斜視図、図１２（ｂ）はトップ側ロック部の平面図、図１３は図１２における矢印XIII−XIIIに沿って示す断面図、である。なお、前述したように、ボトム側ロック部１２３及びトップ側ロック部１３３はボトムケース１２０及びトップケース１３０に一体的に繋がって形成されるが、図５〜図１３においては、ボトム側ロック部１２２及びトップ側ロック部１３３を切り離した状態でこれらのみを取り出して示す。
【００３０】
不正開放防止構造（いわゆるカシメ構造）は、ボトムケース本体１２１の右端部に一体的に繋がって形成されたボトム側ロック部１２３と、トップケース本体１３１の右端部に薄肉半円筒状の連結部１３１Ｒ（図３を参照）を介して一体的に繋がって形成されたトップ側ロック部１３３とを有してなり、例えば接着剤等の硬化性流体をボトム側ロック部１２３とトップ側ロック部１３３との間に充填して硬化させることで、ボトム側ロック部１２３とトップ側ロック部１３３とが接着固定されるように構成されている。なお、本実施
形態では、不正開放防止構造は２組設けられている。
【００３１】
まず、硬化性流体としては、例えば二液混合型の接着剤が好適に適用される。二液混合型の接着剤は、主剤と硬化剤からなる二つの液剤を混合することで接着力を発現する接着剤であり、例えばエポキシ系、アクリル系、エチレン系などの合成樹脂を主体とする接着剤が例示される。このような接着剤によれば常温で硬化するため、硬化後の収縮が少なく、また、小さな隙間にも充填されるので、強力な接着が可能となる。なお、硬化性流体としては、二液混合型の接着剤に限定されず、紫外線硬化樹脂、熱硬化性樹脂などを適用してもよい。
【００３２】
ボトム側ロック部１２３は、直方体状に形成された固定収容体１２４と、この固定収容体１２４に凹設されたロック孔１２５とを有して形成される。固定収容体１２４は、基板ケース１１０の閉止状態において、トップ側ロック部１３３と当接対向するボトム側対向面１２４ａを有している。ロック孔１２５は、基板ケース１１０のスライド方向（左右方向）に延びる一対の固定孔部１２６と、この一対の固定孔部１２６と交差して延びる一体の係合孔部１２８とからなり、ボトム側対向面１２４ａ側から見たとき孔全体として略井形状を呈している。各固定孔部１２６は、一対の係合孔部１２８によって、第１孔部１２６ａ、第２孔部１２６ｂ及び第３孔部１２６ｃに分断されている。各固定孔部１２６の下半部は基板ケース１１０のスライド方向に延びる軸心Ｘを中心として断面半円状に形成されている。各固定孔部１２６の中央に位置する第２孔部１２６ｂには、この第２固定孔部１２６ｂの内周面に沿って凹設された断面Ｕ字状のボトム側規制溝１２７が形成されている。各係合孔部１２８は、固定収容体１２４のボトム側対向面１２４ａから略蒲鉾形状に凹設されており、詳細後述するトップ側ロック部１３３の係止突起１３７を挿入可能な大きさに形成されている。
【００３３】
トップ側ロック部１３３は、ボトム側ロック部１２３のロック孔１２５を閉止可能な大きさの平板状に形成された固定板１３４と、固定板１３４と直交する方向に突設された一対のロック突起１３７とを有して形成される。トップ側ロック部１３３は、断面半円筒状の連結部１３１Ｒを介してトップケース本体１３１に連結されており、この連結部１３１Ｒを破壊することによってトップケース本体１３１とトップ側ロック部１３３とを分離可能である。
【００３４】
固定板１３４は、基板ケース１１０の閉止状態において、ボトム側ロック部１２３のボトム側対向面１２４ａと当接対向するトップ側対向面１３４ａを有している。固定板１３４の略四隅には、表裏に貫通する円孔状の注入口１３５がそれぞれ開設されており、この注入口１３５の開口位置は前述のボトム側ロック部１２３の第１及び第３孔部１２６ａ，１２６ｃと整合している（すなわち、基板ケース１１０の閉止状態において４つの注入口１３５と一対の第１孔部１２６ａ及び一対の第３孔部１２６ｃとが前後に重なり合って各々連通するようになっている）。また、固定板１３４の対向面側には、一対のロック突起１３７に挟まれた位置に凹溝状のトップ側規制溝１３６が一対形成されている。ロック突起１３７は、ボトム側ロック部１２３の係合孔部１２８に対応した断面形状（略蒲鉾形状）を有するとともに、係合孔部１２８の長さ（スライド方向の長さ）よりも厚み（スライド方向の厚み）が小さく形成されている。そのため、ロック突起１３７は係合孔部１２８に挿入可能であるとともに、係合孔部１２８の軸方向に沿ってスライド移動可能である。一対のロック突起１３７の配置間隔は、ボトム側ロック部１２３における一対の係合孔部１２８の配置間隔と同一に設定されている。
【００３５】
また、ロック突起１３７には、基板ケース１１０のスライド方向に延びて表裏に貫通する連通孔１３８が開設されている。この連通孔１３８はスライド方向に延びる軸心Ｙを中心とした円孔状に形成されており、ロック突起１３７が係合孔部１２８に挿入された状態
において、連通孔１３８の軸心Ｘと係合孔部１２８の軸心Ｙとが整合一致して同軸的に配置されるようになっている。つまり、この状態において、ロック突起１３７の連通孔１３８とロック孔１２５とが同軸的に連通することとなり、これによりボトム側ロック部１２３とトップ側ロック部１３３との間に、注入口１３５から供給された硬化性流体が流動するための流動路が画成される。この流動路によってロック孔１２５の全体に硬化性流体が充填されて硬化することにより、ボトム側ロック部１２３とトップ側ロック部１３３とが接着固定されるようになっている。
【００３６】
次に、このように構成される主制御基板ユニット１００における不正開放防止構造の作用について、図１４〜図１７を追加参照して説明する。ここで、図１４はボトム側ロック部１２３に対してケース側ロック部１３３を左右方向にずらして対向させた状態を示す断面図、図１５はボトム側ロック部１２３に対してケース側ロック部１３３を左右方向にずらして重なり合わせた状態を示す断面図、図１６はボトム側ロック部１２３に対してトップ側ロック部１３３をスライド装着した状態を示す断面図、図１７はボトム側ロック部１２３とトップ側ロック部１３３との間に硬化性流体を充填させた状態を示す断面図である。なお、前述したように、図１４〜図１７においても、ボトム側ロック部１２３及びトップ側ロック部１３３をボトムケース１２０及びトップケース１３０から切り離した状態でこれらのみを取り出して示している。
【００３７】
主制御基板ケースユニット１００を組み立てるには、まず始めに、図４に示すように、トップケース１３０をボトムケース１２０に対して左右方向に若干ずらした位置で前後に対向させる。このとき、不正開放防止構造においては、図１４に示すように、トップ側ロック部１２３とボトム側ロック部１３３とが左右方向に若干ずれた状態で前後に対向し、トップケース１３０のロック突起１３７をボトムケース１２０の係合孔部１２８に挿入し得る状態となる。
【００３８】
続いて、トップケース１３０をボトムケース１２０に重ね合わせる。このとき、不正開放防止構造においては、図１５に示すように、トップ側ロック部１３３とボトム側ロック部１２３とが左右方向に若干ずれた状態で重なり合い、互いの対向面１２４ａ，１３４ａ同士が当接するとともに、トップ側ロック部１３３のロック突起１３７がボトム側ロック部１２３の係合孔部１２８に挿入される。
【００３９】
続いて、トップケース１３０を閉止方向にスライド移動させてボトムケース１２０とトップケース１３０とを閉止させる。このとき、不正開放防止構造においては、図１６に示すように、トップ側ロック部１３３がボトム側ロック部１２３に対して閉止方向に相対移動し、トップ側ロック部１３３とボトム側ロック部１２３とが前後に位置整合した状態となる。こうしてトップ側ロック部１３３の固定板１３４によってボトム側ロック部１２３のロック孔１２５を閉じた状態では、トップケース１３０の各注入孔１３５とボトムケース１２０のロック孔１２５とが連通し、ボトム側ロック部１２３とトップ側ロック部１３３との間に硬化性流体を流動させるための流動路が画成される。
【００４０】
続いて、図１７に示すように、トップケース１３０の注入孔１３５から硬化性流体Ｆを流し込む。このとき、硬化性流体Ｆは、注入孔１３５→第１孔部１２６ａ又は第３孔部１２６ｃ→係合孔部１２８→連通孔１３８→第２孔部１２６ｂ→…、というように流動する。これにより、ボトム側ロック部１２３におけるロック孔１２５の内部空間のうち、トップ側ロック部１３３のロック突起１３７によって占領される部分を除く空間全体に硬化性樹脂Ｆが充填される。これにより、トップ側ロック部１３３のロック突起１３７は、ボトム側ロック部１２３の係合孔部１２８内で硬化性流体Ｆに浸漬した状態のまま保持されることとなる。また、硬化性流体Ｆがロック孔１２５を流動する際に、ボトム側規制溝１２７及びトップ側規制溝１３６にも硬化性流体Ｆが浸透して充填される。なお、前述したよ
うに、トップ側ロック部１３３の連通孔１３７とボトム側ロック部１２３のロック孔１２５とは同心状に連通しているので、注入口１３５から供給された硬化性流体Ｆは流動路内（ロック孔１２５及び連通孔１３８）を速やかに流動し、硬化性流体Ｆを短時間で充填することができる。そして、ロック孔１２５全体に充填された硬化性流体Ｆが常温で硬化すると、ボトム側ロック部１２３とトップ側ロック部１３３とが硬化性流体Ｆを介して接着固定される。
【００４１】
このように基板ケース１１０の閉止状態において、ボトム側ロック部１２３とボトム側ロック部１３３とが接着固定されると、ボトムケース１２０に対してトップケース１３０を開放方向にスライド移動させることはできない（基板ケース１１０を開放できない）。また、ボトム側ロック部１２３における係合孔部１２８の内部空間のうち、トップ側ロック部１３３のロック突起１３７が占領する部分を除く空間全体（ロック突起１３７を開放方向にスライドするためのスペース）にも硬化性流体が充填されているので、この硬化性流体（硬化層）Ｆが壁となって、トップ側ロック部１３３を開放方向に相対移動させるのがより困難となる。さらに、ボトム側規制溝１２７及びトップ側規制溝１３６にも硬化性流体が浸透してロック孔１２５内の接着剤層と一体的に固化することで、トップ側ロック部１３３の開放方向への相対移動が規制される。従って、基板ケース１１０が強固な閉止状態に保持されて不正な開放が防止されるため、主制御基板４１に対する電子部品の交換や改造等の不正行為を受け難くすることが可能となる。
【００４２】
なお、主制御基板４１の保守点検や検査等のために基板ケース１１０を正規に開放するには、トップケース本体１３１とトップ側ロック部１３３との間を繋ぐ連結部１３１Ｒを破壊（切断）して、ボトム側ロック部１２３と接着固定した状態のトップ側ロック部１３３をトップケース本体１３１から切り離せばよい。また、ここでボトム側ロック部１２３及びトップ側ロック部１３３は、ボトムケース１２０及びボトムケース１３０の右端部に夫々２個ずつ（すなわち２組）設けられているが、ボトムケース１２０及びトップケース１３０を閉止状態で連結するためには、いずれか１組のボトム側ロック部１２３及びトップ側ロック部１３３を使用すればよい。
【００４３】
以上、第１実施形態に係る主制御基板ケースユニット１００によれば、ボトム側ロック部１２３のロック孔１２５にトップ側ロック部１３３のロック突起１３７を挿入した状態でボトム側ロック部１２３とトップ側ロック部１３３とを硬化性流体Ｆを介して接着し、ボトムケース１２０とトップケース１３０とを閉止状態で連結固定するように構成したことで、ボトム側ロック部１２３とトップ側ロック部１３３との間に充填された硬化性流体（硬化層）Ｆを除去しない限りは、ボトムケース１２０に対してトップケース１３０を開放方向にスライド移動させることができなくなるので、基板ケース１１０の不正な開放を確実に抑止して主制御基板４１に対する不正な改造行為を受け難くすることが可能である。また、硬化性流体（硬化層）Ｆを除去した場合には、その除去した痕跡が明瞭に残存するため、基板ケース１１０の不正な開放を早期に発見することができる。従って、本実施形態によれば、不正行為の予防及び早期発見に寄与することが可能であるという効果を奏する。
【００４４】
また、トップ側ロック部１３３にロック突起１３７を貫通する連通孔１３８を形成することにより、ロック孔１２５にロック突起１３７を挿入した状態で硬化性流体を充填する際に、硬化性流体が連通孔１３８を通じてロック孔１２５内で流動するようになるため、硬化性流体の流動がロック突起１３７によって阻害されることがなく、硬化性流体をロック孔１２５の隅々まで行き渡らせて硬化させることができる。よって、ボトム側ロック部１２３とトップ側ロック部１３３との接着強度を向上させることが可能である。
【００４５】
また、トップ側ロック部１３３のロック突起１３７がボトム側ロック部１２３のロック
孔１２５に挿入された状態において、ロック突起１３７の連通孔１３８とロック孔１２５とが軸心Ｘ，Ｙのもとで同心状に配置されることで、注入口１３５から流し込んだ硬化性流体がロック孔１２５内で速やかに流動するようになるため、硬化性流体の充填時間を短縮することができる。
【００４６】
また、基板ケース１１０をスライド装着型に構成して、ボトム側ロック部１２３及びトップ側ロック部１３３の少なくとも一方に、基板ケース１１０のスライド方向と直交する方向に延びるとともにロック孔１２５に連通する規制溝１２７，１３６を形成することで、ロック孔１２５に流し込まれた接着剤が規制溝１２７，１３６にも浸透して一体的に固化するため、ボトム側ロック部１２３に対するトップ側ロック部１３３の開放方向へのスライド移動がより厳重に規制され、基板ケース１１０の不正な開放をより効果的に防止することが可能となる。
【００４７】
次に、第２実施形態に係る主制御基板ケースユニット２００の構成について図１８〜図２０を追加参照して説明する。ここで、図１８は主制御基板ケースユニット２００の分解斜視図、図１９はボトムケース２２０を前方から見た斜視図、図２０はトップケース２３０を後方から見た斜視図、である。なお、以降の説明においては、説明の便宜のため、上下及び左右前後の方向は、図１８の状態を基準にして定義しており、図１８に示す矢印の方向をそれぞれ前後、左右、上下と称して説明する。
【００４８】
主制御基板ケースユニット２００は、ぱちんこ遊技機ＰＭにおける制御の中枢を担う前述の主制御基板４１と、主制御基板４１を内部に収容する略矩形容器状の基板ケース２１０とを主体として構成されており、閉止状態の基板ケース２１０の内部に、主制御基板４１、封印構造及び不正開放防止構造が配置された密封型のケースユニットとして構成されている。なお、主制御基板４１については既に前述しているので、ここでは説明を省略する。
【００４９】
基板ケース２１０は、遊技盤１０の背面に着脱されるボトムケース２２０と、このボトムケース２２０に着脱自在に取り付けられるトップケース２３０とを備えて構成されており、ボトムケース２２０にトップケース２３０を装着した閉止状態において画成されるケース内部に、詳細後述する封印構造及び不正開放防止構造が装備されている。ボトムケース２２０及びトップケース２３０には、主制御基板４１を収容するための基板収容空間２２０Ｓ，２３０Ｓがそれぞれ形成されており、互いの基板収容空間２２０Ｓ，２３０Ｓ同士を相対向させた閉止状態で結合されて一体化される。ボトムケース２２０及びトップケース２３０は、共に透明な樹脂材料（例えば、ポリカーボネート等）を用いて射出成形等の成形手段により形成され、外部からでも基板ケース２１０内を視認可能に構成されている。
【００５０】
ボトムケース２２０は、基壁２２１ａ及びこの基壁２２１ａを囲んで前方に延びる上下左右の側壁２２１ｂを有し、全体として前面開放の矩形箱状に形成されたボトムケース本体２２１を主体として構成される。ボトムケース本体２２１における左側の側壁２２１ｂには基板収容空間２２０Ｓ側に突出するボトム側封印部２２２が設けられ、上下の側壁２２１ｂには基板収容空間２２０Ｓ側に突出するボトム側ロック部２２３が設けられている。
【００５１】
トップケース２３０は、基壁２３１ａ及びこの基壁２３１ａを囲んで後方に延びる上下左右の側壁２３１ｂを有し、全体として後面開放の矩形箱状に形成されたトップケース本体２３１を主体として構成されており、ボトムケース２２０に対して左右方向にスライド装着可能に構成されている。トップケース本体２３１における左側の側壁２３１ｂには基板収容空間２３０Ｓ側に突出するトップ側封印部２３２が設けられ、上下の側壁２３１ｂ
には基板収容空間２３０Ｓ側に開口するトップ側ロック部２３３が設けられている。トップケース２３０には、主制御基板４１のコネクタ（図示省略）の実装位置に対応して表裏貫通するコネクタ挿抜口２３１ｄが形成されており、主制御基板４１がトップケース２３０に取り付けられた状態で、主制御基板４１のコネクタがコネクタ挿抜口２３１ｄを通して外部に露出し、演出制御基板４２や払出制御基板４３等とハーネス（コネクタケーブル）を介して電気接続可能となる。
【００５２】
封印構造は、ボトムケース本体２２１に一体的に形成されたボトム側封印部２２２と、トップケース本体２３１に一体的に形成されたトップ側封印部２３２と、ボトム側封印部２２２に貼着される封印シール２４０と、封印シール２４０を破壊するカッター部材２４１と、から構成される。本体側封印部１２３及び蓋側封印部１３３は、ケース本体１２０にケース蓋１３０が閉止された状態で前後に対向配置されるようになっており、この対向状態において本体側封印部１２２と蓋側封印部１３２との間に封印シール１５０及び封印シールカッター１６０が収容される。
【００５３】
封印シール２４０は、例えば紙製のシート部材の表面に、ＩＣタグ及びこれに繋がるアンテナ線が透明な樹脂フィルムによって覆われて形成されており、ＩＣタグに格納された種々の情報（例えば、ぱちんこ遊技機ＰＭに関する情報、主制御基板４１の識別情報など）がアンテナ線を介して基板ケース２１０の外部からでもリーダ装置によって読み取り可能となっている。
【００５４】
カッター部材２４１は、ボトム側封印部２２２に貼着された封印シール２４０を覆うように装着される。このカッター部材２４１は、ボトム側封印部２２２に装着されて封印シール２４０を外方から包囲して保護する一方、基板ケース２１０の開放時、すなわち、トップケース２３０をボトムケース２２０に対して左方向（以下において「開放方向」とも称する）にスライド移動させるとき、トップ側封印部２３２と協働して当該開放方向に移動することで封印シール２４０を再生不能な程度に破壊するように構成されている。
【００５５】
不正開放防止構造（いわゆるカシメ構造）は、ボトムケース本体２２１の上下の側壁２２１ｂに一体的に繋がって形成されたボトム側ロック部２２３と、トップケース本体２３１の上下の側壁２３１ｂに一体的に形成されたトップ側ロック部２３３とを有してなり、例えば接着剤等の硬化性流体をボトム側ロック部２２３とトップ側ロック部２３３との間に充填して硬化させることで、ボトム側ロック部２２３とトップ側ロック部２３３とが接着固定されるように構成されている。
【００５６】
まず、硬化性流体としては、例えば二液混合型の接着剤が好適に適用される。二液混合型の接着剤は、主剤と硬化剤からなる二つの液剤を混合することで接着力を発現する接着剤であり、例えばエポキシ系、アクリル系、エチレン系などの合成樹脂を主体とする接着剤が例示される。このような接着剤によれば常温で硬化するため、硬化後の収縮が少なく、また、小さな隙間にも充填されるので、強力な接着が可能となる。なお、硬化性流体としては、二液混合型の接着剤に限定されず、紫外線硬化樹脂、熱硬化性樹脂などを適用してもよい。
【００５７】
ボトム側ロック部２２３は、ボトムケース本体２２１における上下の側壁２２１ｂから前方に向けて突出する複数のボトム側スライド係合部２２４を有してなる。ボトム側スライド係合部２２４は、略Ｌ字形に屈曲した平板状に形成されており、上下の側壁２２１ｂに沿って左右方向に等間隔で配置されている。
【００５８】
トップ側ロック部２３３は、トップケース本体２３１における側壁２３１ｂが延びる長手方向（左右方向）に沿って後面側に開口してボトム側スライド係合部を受容可能に形成
された凹溝状のトップ側溝部２３４と、このトップ側溝部２３４内においてボトム側スライド係合部２２４と係合可能に形成された複数のトップ側スライド係合部２３５とを有してなる。このトップ側スライド係合部２３５は、ボトム側スライド係合部２２４と同じ数だけ形成され、その配置間隔もボトム側スライド係合部と対応している。また、トップケース２３０の前面側には、基壁２３１ａを表裏に貫通してトップ側溝部２３４に連通する注入口２３６が開口されている。
【００５９】
次に、このように構成される主制御基板ケースユニット１００における不正開放防止構造の作用について、図２１及び図２２を追加参照して説明する。ここで、図２１はボトムケースとトップケースとを対向させた状態を示す斜視図、図２２は不正開放防止構造の作用を説明するための模式図である。
【００６０】
主制御基板ケースユニット１００を組み立てるには、まず始めに、図２１に示すように、トップケース２３０をボトムケース１３０に対して左右方向に若干ずらした位置で前後に対向させる。このとき、不正開放防止構造においては、図２２（ａ）に示すように、ボトム側スライド係合部２２４とトップ側スライド係合部２３５とが左右に若干ずれた位置にあり、ボトム側スライド係合部２２４をトップ側溝部２３４に挿入し得る状態となっている。
【００６１】
続いて、トップケース２３０をボトムケース２２０に重ね合わせる。このとき、不正開放防止構造においては、図２２（ｂ）に示すように、ボトム側スライド係合部２２４がトップ側スライド溝部２３４に挿入される。
【００６２】
続いて、トップケース２３０を閉止方向にスライド移動させてトップケース２３０とボトムケース２２０とを閉止させる。このとき、不正開放防止構造においては、図２２（ｃ）に示すように、トップ側スライド係合部２２４がボトム側スライド係合部２３５に対して閉止方向に相対移動して、ボトム側スライド係合部２２４とトップ側スライド係合部２３５とが係合する。
【００６３】
続いて、図２２（ｄ）に示すように、トップケース２３０の注入口２３６から硬化性流体Ｆを流し込む。これにより、トップ側溝部２３４の内部空間のうち、係合状態の両スライド係合部２２４，２３５によって占領される部分を除く空間全体に硬化性流体Ｆが充填される。そのため、ボトム側スライド係合部２２４とトップ側スライド係合部２３５とは係合状態のまま硬化性流体Ｆに浸漬した状態で保持されることとなる。なお、この係合状態では、トップ側溝部２３４の開口はボトムケース２２０の側壁２２１ｂによって閉鎖されるため、その隙間から硬化性流体Ｆが外部に漏出するおそれはない。そして、トップ側溝部２３４に充填された硬化性流体Ｆが常温で硬化すると、ボトム側スライド係合部２２４とトップ側スライド係合部２３５とが硬化性流体Ｆを介して接着固定される。
【００６４】
こうして、ボトム側ロック部２２３とトップ側ロック部２３３とが接着固定されると、ボトムケース２２０に対してトップケース２３０を開放方向にスライド移動させることはできない（基板ケース２１０を開放できない）。また、トップ側溝部２３４の内部空間のうち、ボトム側スライド係合部２２４及びトップ側スライド係合部２３５が占領する部分を除く空間全体（トップ側スライド係合部２２４を開放方向にスライドするためのスペース）に硬化性流体が充填されているので、この硬化性流体（硬化層）Ｆが壁となって、トップケース２３０をボトムケース２２０に対して開放方向にスライド移動させるのがより困難となる。従って、基板ケース２１０が強固な閉止状態に保持されて不正な開放が防止されるため、主制御基板４１に対する電子部品の交換や改造等の不正行為を受け難くすることが可能となる。
【００６５】
以上、第２実施形態に係る主制御基板ケースユニット２００によれば、ボトム側スライド係合部２２４とトップ側スライド係合部２３５とを係合させた状態でトップ側溝部２３４に硬化性流体Ｆを充填して両者を接着し、ボトムケース２２０とトップケース２３０とを閉止状態で連結固定するように構成したことで、ボトム側ロック部２２３とトップ側ロック２３３部との間に充填された硬化性流体（硬化層）Ｆを除去しない限りは、ボトムケース２２０に対してトップケース２３０を開放方向にスライド移動させることができなくなるので、基板ケース２１０の不正な開放を確実に抑止して主制御基板４１に対する不正な改造行為を受け難くすることが可能である。特に、ボトム側ロック部２２３とトップ側ロック部２３３とが基板ケース２１０の内部に密閉且つ隠蔽されたかたちで接着固定されるので、基板ケース２１０の外部からボトム側ロック部２２３及びトップ側ロック部２３３へアクセスするのが非常に困難となり、不正な改造行為をより厳重に抑止することが可能となる。また、硬化性流体（硬化層）Ｆを除去した場合には、その除去した痕跡が明瞭に残存するため、基板ケース２１０の不正な開放を早期に発見することができる。従って、本実施形態によれば、不正行為の予防及び早期発見に寄与することが可能であるという効果を奏する。
【００６６】
また、ボトムケース２２０の側壁２２１ｂとトップケース２３０の側壁２３１ｂとにそれぞれ配設した複数のボトム側スライド係合部２２４と複数のトップ側スライド係合部２３５とを各々スライド係合させた係合状態において硬化性流体Ｆを介して接着固定する構成であるため、ボトムケース２２０とトップケース２３０とがより強固な係合状態で結合するようになり、基板ケース２１０の開放をより困難とすることが可能である。
【００６７】
なお、本発明は、上記実施形態に限定されるものではなく、本発明の要旨を逸脱しない範囲であれば適宜改良可能である。
【００６８】
上述の実施形態では、スライド開閉型の基板ケースユニットを例示して説明したが、この構成に限定されるものではなく、例えばヒンジ開閉型などの他の基板ケースユニットであってもよい。
【００６９】
また、上述の実施形態では、不正開放防止構造及び封印構造の両者を具備する基板ケースユニットを適用したが、この構成に限定されるものではなく、不正開放防止構造のみを具備する基板ケースユニットであってもよい。
【００７０】
なお、上述の実施形態においては、本発明に係る基板ケースユニットをぱちんこ遊技機の主制御基板ケースユニットに適用した場合を例示して説明したが、これに限定されるものではなく、演出制御基板ケースユニットや払出制御基板ケースユニットなどの他の基板ケースユニット等に適用してもよく、更には、ぱちんこ遊技機以外の遊技機、例えばスロットマシンの基板ケースユニットに適用しても同様の効果を得ることが可能である。
【符号の説明】
【００７１】
ＰＭ  ぱちんこ遊技機
１  外枠
２  前枠
５  ガラス扉
１０  遊技盤
４１  主制御基板
１００  主制御基板ケースユニット（第１実施形態）
１１０  基板ケース
１２０  ボトムケース（第１ケース部材）
１２１  ボトムケース本体
１２３  ボトム側ロック部（第１ロック部）
１２５  ロック孔
１３０  トップケース（第２ケース部材）
１３１  トップケース本体
１３３  トップ側ロック部（第２ロック部）
１３７  ロック突起
１３８  連通孔
２００  主制御基板ケースユニット（第２実施形態）
２１０  基板ケース
２２０  ボトムケース（第２ケース部材）
２２３  ボトム側ロック部（第２ロック部）
２２４  ボトム側スライド係合部（ロック突起）
２３０  トップケース（第１ケース部材）
２３３  トップ側ロック部（第１ロック部）
２３４  トップ側溝部（第１ロック孔）
２３５  トップ側スライド係合部
Ｆ  硬化性流体
【図１】
2014136020.tif 000003
【図２】
2014136020.tif 000004
【図３】
2014136020.tif 000005
【図４】
2014136020.tif 000006
【図５】
2014136020.tif 000007
【図６】
2014136020.tif 000008
【図７】
2014136020.tif 000009
【図８】
2014136020.tif 000010
【図９】
2014136020.tif 000011
【図１０】
2014136020.tif 000012
【図１１】
2014136020.tif 000013
【図１２】
2014136020.tif 000014
【図１３】
2014136020.tif 000015
【図１４】
2014136020.tif 000016
【図１５】
2014136020.tif 000017
【図１６】
2014136020.tif 000018
【図１７】
2014136020.tif 000019
【図１８】
2014136020.tif 000020
【図１９】
2014136020.tif 000021
【図２０】
2014136020.tif 000022
【図２１】
2014136020.tif 000023
【図２２】
2014136020.tif 000024